(57)【要約】【課題】スナバコンデンサの振動を抑制する。【解決手段】スナバコンデンサ２は、上下方向に延びるパネル部材１０に沿って、縦置きに配置されている。パネル部材１０は、スナバコンデンサ２が載せ置かれる載置部１７を有している。スナバコンデンサ２の外側面は、パネル部材に向く対向面と、対向面と反対側の背面とを有している。スナバコンデンサ２をパネル部材１０に対して支持するフレーム部材は、本体部２１と、挟持部３０と、連結部７１とを有している。本体部２１は、上下方向に延びており、載置部１７に固定されている。挟持部３０は、本体部２１に固定されており、対向面および背面の両側からスナバコンデンサ２を挟み持つ。連結部７１は、挟持部３０よりも上方に配置されており、本体部２１とパネル部材１０とを連結している。【選択図】図１
2018098971.tif 000002
【特許請求の範囲】
【請求項１】
上下方向に延びるパネル部材と、
前記パネル部材に沿って縦置きに配置されたスナバコンデンサとを備え、
前記パネル部材は、前記スナバコンデンサが載せ置かれる載置部を有し、
前記スナバコンデンサの外側面は、前記パネル部材に向く対向面と、前記対向面と反対側の背面とを有し、
さらに、前記スナバコンデンサを前記パネル部材に対して支持するフレーム部材を備え、
前記フレーム部材は、前記上下方向に延び前記載置部に固定された本体部と、前記本体部に固定され、前記対向面および前記背面の両側から前記スナバコンデンサを挟み持つ挟持部と、前記挟持部よりも上方に配置され前記本体部と前記パネル部材とを連結する連結部とを有する、スナバコンデンサユニット。
【請求項２】
前記スナバコンデンサと前記上下方向に並び前記スナバコンデンサの下方に配置された第２のスナバコンデンサをさらに備え、
前記第２のスナバコンデンサの外側面は、前記パネル部材に向く第２の対向面と、前記第２の対向面と反対側の第２の背面とを有し、
前記パネル部材は、前記第２のスナバコンデンサが載せ置かれる第２の載置部を有し、前記本体部は前記第２の載置部に固定されており、
前記フレーム部材は、前記本体部に固定され、前記第２の対向面および前記第２の背面の両側から前記第２のスナバコンデンサを挟み持つ第２の挟持部と、前記第２の挟持部よりも上方に配置され前記本体部と前記パネル部材とを連結する第２の連結部とを有する、請求項１に記載のスナバコンデンサユニット。
【請求項３】
前記スナバコンデンサの外側面は、前記対向面と前記背面とをつなぐ第１の側端面および第２の側端面をさらに有し、前記本体部は前記第１の側端面に向き、
前記スナバコンデンサを前記パネル部材に対して支持する第２のフレーム部材をさらに備え、
前記第２のフレーム部材は、前記上下方向に延び前記載置部に固定され前記第２の側端面に向く第２の本体部と、前記第２の本体部に固定され、前記対向面および前記背面の両側から前記スナバコンデンサを挟み持つ第３の挟持部と、前記第３の挟持部よりも上方に配置され前記第２の本体部と前記パネル部材とを連結する第３の連結部とを有する、請求項２に記載のスナバコンデンサユニット。
【請求項４】
前記第２のスナバコンデンサの外側面は、前記第２の対向面と前記第２の背面とをつなぐ第３の側端面および第４の側端面をさらに有し、前記本体部は前記第３の側端面に向き、
前記第２のスナバコンデンサを前記パネル部材に対して支持する第３のフレーム部材をさらに備え、
前記第３のフレーム部材は、前記上下方向に延び前記第２の載置部に固定され前記第４の側端面に向く第３の本体部と、前記第３の本体部に固定され、前記第２の対向面および前記第２の背面の両側から前記第２のスナバコンデンサを挟み持つ第４の挟持部と、前記第４の挟持部よりも上方に配置され前記第３の本体部と前記パネル部材とを連結する第４の連結部とを有する、請求項３に記載のスナバコンデンサユニット。
【請求項５】
前記第２の本体部と前記第３の本体部とは、別部材として形成されており、前記上下方向において前記第２の本体部と前記第３の本体部との間に隙間が形成されている、請求項４に記載のスナバコンデンサユニット。
【発明の詳細な説明】
【技術分野】
【０００１】
本開示は、スナバコンデンサユニットに関する。
【背景技術】
【０００２】
特開２０１０−１６９５９号公報（特許文献１）には、従来のスナバコンデンサを備える電力変換装置が記載されている。
【先行技術文献】
【特許文献】
【０００３】
【特許文献１】特開２０１０−１６９５９号公報
【発明の概要】
【発明が解決しようとする課題】
【０００４】
スナバコンデンサユニットにおいて、縦置きに配置されたスナバコンデンサは、従来、その底部でのみ固定されていたので、スナバコンデンサユニットの輸送時などにスナバコンデンサの振動が発生し易かった。
【０００５】
本開示では、スナバコンデンサの振動を抑制できる、スナバコンデンサユニットが提供される。
【課題を解決するための手段】
【０００６】
本開示に従うと、パネル部材と、スナバコンデンサと、フレーム部材とを備える、スナバコンデンサユニットが提供される。パネル部材は、上下方向に延びている。スナバコンデンサは、パネル部材に沿って、縦置きに配置されている。パネル部材は、スナバコンデンサが載せ置かれる載置部を有している。スナバコンデンサの外側面は、パネル部材に向く対向面と、対向面と反対側の背面とを有している。フレーム部材は、スナバコンデンサをパネル部材に対して支持する。フレーム部材は、本体部と、挟持部と、連結部とを有している。本体部は、上下方向に延びており、載置部に固定されている。挟持部は、本体部に固定されており、対向面および背面の両側からスナバコンデンサを挟み持つ。連結部は、挟持部よりも上方に配置されており、本体部とパネル部材とを連結している。
【０００７】
上記のスナバコンデンサユニットは、第２のスナバコンデンサをさらに備えている。第２のスナバコンデンサは、スナバコンデンサと上下方向に並び、スナバコンデンサの下方に配置されている。第２のスナバコンデンサの外側面は、パネル部材に向く第２の対向面と、第２の対向面と反対側の第２の背面とを有している。パネル部材は、第２のスナバコンデンサが載せ置かれる第２の載置部を有している。フレーム部材の本体部は、第２の載置部に固定されている。フレーム部材は、第２の挟持部と、第２の連結部とを有している。第２の挟持部は、本体部に固定されており、第２の対向面および第２の背面の両側から第２のスナバコンデンサを挟み持つ。第２の連結部は、第２の挟持部よりも上方に配置されており、本体部とパネル部材とを連結している。
【０００８】
上記のスナバコンデンサユニットにおいて、スナバコンデンサの外側面は、対向面と背面とをつなぐ第１の側端面および第２の側端面をさらに有している。本体部は、第１の側端面に向いている。スナバコンデンサユニットは、スナバコンデンサをパネル部材に対して支持する第２のフレーム部材をさらに備えている。第２のフレーム部材は、第２の本体部と、第３の挟持部と、第３の連結部とを有している。第２の本体部は、上下方向に延びており、載置部に固定されており、第２の側端面に向いている。第３の挟持部は、第２の本体部に固定されており、対向面および背面の両側からスナバコンデンサを挟み持つ。第３の連結部は、第３の挟持部よりも上方に配置されており、第２の本体部とパネル部材とを連結している。
【０００９】
上記のスナバコンデンサユニットにおいて、第２のスナバコンデンサの外側面は、第２の対向面と第２の背面とをつなぐ第３の側端面および第４の側端面をさらに有している。フレーム部材の本体部は、第３の側端面に向いている。スナバコンデンサユニットは、第２のスナバコンデンサをパネル部材に対して支持する第３のフレーム部材をさらに備えている。第３のフレーム部材は、第３の本体部と、第４の挟持部と、第４の連結部とを有している。第３の本体部は、上下方向に延びており、第２の載置部に固定されており、第４の側端面に向いている。第４の挟持部は、第３の本体部に固定されており、第２の対向面および第２の背面の両側から第２のスナバコンデンサを挟み持つ。第４の連結部は、第４の挟持部よりも上方に配置されており、第３の本体部とパネル部材とを連結する。
【００１０】
上記のスナバコンデンサユニットにおいて、第２の本体部と第３の本体部とは、別部材として形成されており、上下方向において第２の本体部と第３の本体部との間に隙間が形成されている。
【発明の効果】
【００１１】
本開示のスナバコンデンサユニットによれば、スナバコンデンサの振動を抑制することができる。
【図面の簡単な説明】
【００１２】
【図１】実施の形態のスナバコンデンサユニットを備えるスナバユニットの斜視図である。
【図２】実施の形態のスナバコンデンサユニットの正面図である。
【図３】実施の形態のスナバコンデンサユニットの左側面図である。
【図４】実施の形態のスナバコンデンサユニットの右側面図である。
【図５】フレーム部材の正面図である。
【図６】フレーム部材の左側面図である。
【図７】フレーム部材の右側面図である。
【図８】フレーム部材の上面図である。
【図９】フレーム部材の下面図である。
【図１０】挟持部を拡大して示す平面図である。
【図１１】挟持部を拡大して示す側面図である。
【発明を実施するための形態】
【００１３】
以下、図面に基づいて、実施の形態におけるスナバコンデンサユニットについて説明する。以下に示す実施の形態において、同一または実質的に同一の構成については、同一の符号を付して、重複した説明は繰り返さない。
【００１４】
図１は、実施の形態のスナバコンデンサユニット１を備えるスナバユニット１００の斜視図である。スナバユニット１００は、たとえば電力変換装置の主回路部に使用される電気機器である。
【００１５】
図１に示すように、スナバユニット１００は、ベース基板１０１を備えている。ベース基板１０１は、表面１０２と、表面１０２と反対側の裏面１０３とを有している。ベース基板１０１の表面１０２に、スナバコンデンサユニット１が搭載されている。ベース基板１０１の裏面１０３に、抵抗ユニット１１０が搭載されている。
【００１６】
図２は、実施の形態のスナバコンデンサユニット１の正面図である。図３は、実施の形態のスナバコンデンサユニット１の左側面図である。図４は、実施の形態のスナバコンデンサユニット１の右側面図である。
【００１７】
図１〜４に示すように、スナバコンデンサユニット１は、２つのスナバコンデンサ２，４を有している。２つのスナバコンデンサ２，４は、並んで配置されている。２つのスナバコンデンサ２，４の並ぶ方向（図２〜４中の上下方向）を、本実施の形態における上下方向と称する。上下方向において、スナバコンデンサ２が上方、スナバコンデンサ４が下方に配置されている。スナバコンデンサ４は、スナバコンデンサ２の下方に配置されている。
【００１８】
スナバコンデンサユニット１は、パネル部材１０を有している。パネル部材１０は、上下方向に延びる概略形状を有している。パネル部材１０は、略平板状の本体部１１を有している。本体部１１の上端に、パネル部材１０をベース基板１０１に固定する固定部１３と、本体部１１と固定部１３とを連結する連結部１２とが設けられている。本体部１１の下端に、パネル部材１０をベース基板１０１に固定する固定部１５と、本体部１１と固定部１３とを連結する連結部１４とが設けられている。
【００１９】
図３，４に示すように、連結部１２，１４は、本体部１１および固定部１３，１５に対して直交する方向に延びている。連結部１２，１４の延びる方向（図３，４中の左右方向、図２中の紙面垂直方向）を、本実施の形態における前後方向と称する。前後方向において、本体部１１が前方、固定部１３，１５が後方に配置されている。本体部１１と固定部１３，１５との間に連結部１２，１４が介在していることにより、本体部１１と、ベース基板１０１の表面１０２との間に、隙間が形成されている。
【００２０】
本体部１１の両側端には、本体部１１を構成している平板が折り曲げられた折り曲げ部１６，１６が設けられている。折り曲げ部１６，１６が形成されていることにより、本体部１１の強度が向上されている。
【００２１】
スナバコンデンサ２，４は、パネル部材１０に沿って、縦置きに配置されている。パネル部材１０は、スナバコンデンサ２が載せ置かれる載置部１７と、スナバコンデンサ４が載せ置かれる載置部１８とを有している。載置部１７，１８は、本体部１１に固定されており、平板状の本体部１１に対して略垂直に突き出している。スナバコンデンサ２の底面が、載置部１７に接触している。スナバコンデンサ２は、載置部１７に固定されており、載置部１７によって支持されている。スナバコンデンサ４の底面が、載置部１８に接触している。スナバコンデンサ４は、載置部１８に固定されており、載置部１８によって支持されている。
【００２２】
縦置きのスナバコンデンサ２の外側面は、パネル部材１０に向く対向面２Ａと、対向面２Ａと反対側の背面２Ｂと、対向面２Ａと背面２Ｂとをつなぐ一方の側端面２Ｃおよび他方の側端面２Ｄとを有している。縦置きのスナバコンデンサ４の外側面は、パネル部材１０に向く対向面４Ａと、対向面４Ａと反対側の背面４Ｂと、対向面４Ａと背面４Ｂとをつなぐ一方の側端面４Ｃおよび他方の側端面４Ｄとを有している。
【００２３】
図３，４に示すように、スナバコンデンサ２の対向面２Ａと、パネル部材１０の本体部１１との間に、隙間が形成されている。スナバコンデンサ２は、パネル部材１０の本体部から離れて配置されている。スナバコンデンサ４の対向面４Ａと、パネル部材１０の本体部１１との間に、隙間が形成されている。スナバコンデンサ４は、パネル部材１０の本体部から離れて配置されている。
【００２４】
スナバコンデンサ２の上面には、２つの端子３が設けられている。端子３に配線が接続されることにより、当該配線を介してスナバコンデンサ２は他の電気機器と電気的に接続されている。スナバコンデンサ４の上面には、２つの端子５が設けられている。端子５に配線が接続されることにより、当該スナバコンデンサ４は他の電気機器と電気的に接続されている。本実施の形態では、図示しない配線を介して、スナバコンデンサ２とスナバコンデンサ４とが、電気的に直列に接続されている。
【００２５】
図５は、フレーム部材２０の正面図である。図６は、フレーム部材２０の左側面図である。図７は、フレーム部材２０の右側面図である。図８は、フレーム部材２０の上面図である。図９は、フレーム部材２０の下面図である。図１〜４および図５〜９を適宜参照して、スナバコンデンサ２，４をパネル部材１０に対して支持するフレーム部材２０について詳細に説明する。
【００２６】
フレーム部材２０は、第１の本体部２１を有している。第１の本体部２１は、図３に示すように、スナバコンデンサ２の側端面２Ｃに向き、かつ、スナバコンデンサ４の側端面４Ｃに向くように、配置されている。
【００２７】
第１の本体部２１は、上下方向に延びる細長い平板状の基部２２と、基部２２の両側縁に設けられた折り曲げ部２３，２３とを有している。基部２２は、上下方向に延びるとともに、前後方向に延びている。折り曲げ部２３，２３は、上下方向に延びるとともに、左右方向に延びている。上述した上下方向および前後方向の両方に直交する方向（図２中の左右方向、図３，４中の紙面垂直方向）を、本実施の形態における左右方向と称する。第１の本体部２１は、図８，９に示すように、上下方向に見て、角張ったＣ字状の形状を有している。第１の本体部２１は、パネル部材１０の載置部１７に固定されており、かつ、パネル部材１０の載置部１８に固定されている。
【００２８】
フレーム部材２０は、第１の挟持部３０を有している。第１の挟持部３０は、第１の本体部２１に固定されている。第１の挟持部３０は、図８に示すように、上下方向に見て、角張ったＣ字状の形状を有している。第１の挟持部３０は、スナバコンデンサ２を対向面２Ａおよび背面２Ｂの両側から挟み持って、スナバコンデンサ２を支持する。第１の挟持部３０は、上下方向におけるスナバコンデンサ２の中心部よりも上方において、スナバコンデンサ２を支持する。
【００２９】
フレーム部材２０は、第１の連結部７１を有している。第１の連結部７１は、第１の挟持部３０よりも上方に配置されている。第１の連結部７１は、第１の本体部２１に固定される第１部分７２（図６）と、パネル部材１０の本体部１１に固定される第２部分７３（図５）とを有している。第１の本体部２１に第１部分７２が固定されるとともに本体部１１に第２部分７３が固定されることにより、第１の連結部７１は、第１の本体部２１とパネル部材１０とを連結する。図３に示すように、第１の連結部７１は、上下方向においてスナバコンデンサ２の上面と重なる位置に配置されている。
【００３０】
フレーム部材２０は、第２の挟持部４０を有している。第２の挟持部４０は、第１の本体部２１に固定されている。第２の挟持部４０は、図９に示すように、上下方向に見て、角張ったＣ字状の形状を有している。第２の挟持部４０は、スナバコンデンサ４を対向面４Ａおよび背面２Ｂの両側から挟み持って、スナバコンデンサ４を支持する。第２の挟持部４０は、上下方向におけるスナバコンデンサ４の中心部よりも上方において、スナバコンデンサ４を支持する。
【００３１】
フレーム部材２０は、第２の連結部７４を有している。第２の連結部７４は、第２の挟持部４０よりも上方に配置されている。第２の連結部７４は、第１の本体部２１に固定される第１部分７５（図６）と、パネル部材１０の本体部１１に固定される第２部分７６（図５）とを有している。第１の本体部２１に第１部分７５が固定されるとともに本体部１１に第２部分７６が固定されることにより、第２の連結部７４は、第１の本体部２１とパネル部材１０とを連結する。図３に示すように、第２の連結部７４は、上下方向においてスナバコンデンサ４の上面と重なる位置に配置されている。
【００３２】
上述した第１の本体部２１、第１の挟持部３０、第１の連結部７１、第２の挟持部４０および第２の連結部７４は、実施の形態における「第１のフレーム部材」を構成している。
【００３３】
フレーム部材２０は、第２の本体部２４を有している。第２の本体部２４は、図４に示すように、スナバコンデンサ２の側端面２Ｄに向くように、配置されている。
【００３４】
第２の本体部２４は、上下方向に延びる細長い平板状の基部２５と、基部２５の両側縁に設けられた折り曲げ部２６，２６とを有している。基部２５は、上下方向に延びるとともに、前後方向に延びている。折り曲げ部２６，２６は、上下方向に延びるとともに、左右方向に延びている。第２の本体部２４は、図８に示すように、上下方向に見て、角張ったＣ字状の形状を有している。第２の本体部２４は、パネル部材１０の載置部１７に固定されている。
【００３５】
フレーム部材２０は、第３の挟持部５０を有している。第３の挟持部５０は、第２の本体部２４に固定されている。第３の挟持部５０は、図８に示すように、上下方向に見て、角張ったＣ字状の形状を有している。第３の挟持部５０は、スナバコンデンサ２を対向面２Ａおよび背面２Ｂの両側から挟み持って、スナバコンデンサ２を支持する。第３の挟持部５０は、上下方向におけるスナバコンデンサ２の中心部よりも上方において、スナバコンデンサ２を支持する。
【００３６】
フレーム部材２０は、第３の連結部７７を有している。第３の連結部７７は、第３の挟持部５０よりも上方に配置されている。第３の連結部７７は、第２の本体部２４に固定される第１部分７８（図７）と、パネル部材１０の本体部１１に固定される第２部分７９（図５）とを有している。第２の本体部２４に第１部分７８が固定されるとともに本体部１１に第２部分７９が固定されることにより、第３の連結部７７は、第２の本体部２４とパネル部材１０とを連結する。図４に示すように、第３の連結部７７は、上下方向においてスナバコンデンサ２の上面と重なる位置に配置されている。
【００３７】
上述した第２の本体部２４、第３の挟持部５０および第３の連結部７７は、実施の形態における「第２のフレーム部材」を構成している。
【００３８】
フレーム部材２０は、第３の本体部２７を有している。第３の本体部２７は、図４に示すように、スナバコンデンサ４の側端面４Ｄに向くように、配置されている。
【００３９】
第３の本体部２７は、上下方向に延びる細長い平板状の基部２８と、基部２８の両側縁に設けられた折り曲げ部２９，２９とを有している。基部２８は、上下方向に延びるとともに、前後方向に延びている。折り曲げ部２９，２９は、上下方向に延びるとともに、左右方向に延びている。第３の本体部２７は、図９に示すように、上下方向に見て、角張ったＣ字状の形状を有している。第３の本体部２７は、パネル部材１０の載置部１８に固定されている。
【００４０】
フレーム部材２０は、第４の挟持部６０を有している。第４の挟持部６０は、第３の本体部２７に固定されている。第４の挟持部６０は、図９に示すように、上下方向に見て、角張ったＣ字状の形状を有している。第４の挟持部６０は、スナバコンデンサ４を対向面４Ａおよび背面４Ｂの両側から挟み持って、スナバコンデンサ４を支持する。第４の挟持部６０は、上下方向におけるスナバコンデンサ４の中心部よりも上方において、スナバコンデンサ４を支持する。
【００４１】
フレーム部材２０は、第４の連結部８０を有している。第４の連結部８０は、第４の挟持部６０よりも上方に配置されている。第４の連結部８０は、第３の本体部２７に固定される第１部分８１（図７）と、パネル部材１０の本体部１１に固定される第２部分８２（図５）とを有している。第３の本体部２７に第１部分８１が固定されるとともに本体部１１に第２部分８２が固定されることにより、第４の連結部８０は、第３の本体部２７とパネル部材１０とを連結する。図４に示すように、第４の連結部８０は、上下方向において、スナバコンデンサ４の上面と重なる位置に配置されている。
【００４２】
上述した第３の本体部２７、第３の挟持部５０および第４の連結部８０は、実施の形態における「第３のフレーム部材」を構成している。
【００４３】
図５に明確に示すように、第２の本体部２４と第３の本体部２７とは、別部材として形成されている。上下方向において、第２の本体部２４と第３の本体部２７との間に、隙間Ｇが形成されている。
【００４４】
図２〜４に示すように、フレーム部材２０の上端は、パネル部材１０の上端の固定部１３よりも、下方に配置されている。フレーム部材２０の下端は、パネル部材１０の下端の固定部１５よりも、下方に配置されている。フレーム部材２０は、サポート部９０を有している。サポート部９０は、前後方向に延びる細長い平板状の基部９１と、基部２２の両側縁に設けられた折り曲げ部９２，９３とを有している。基部９１は、前後方向に延びるとともに、左右方向に延びている。折り曲げ部９２，９３は、上下方向に延びるとともに、左右方向に延びている。折り曲げ部９２は、パネル部材１０の本体部１１に固定される。折り曲げ部９３は、ベース基板１０１の表面１０２に固定される。
【００４５】
パネル部材１０は、その上端および下端においてベース基板１０１に固定されている。パネル部材１０はまた、その上下方向における中間部分において、サポート部９０を介してベース基板１０１に対して支持されている。パネル部材１０が、その長手方向（上下方向）における両端部と中間部分との３箇所でベース基板１０１に支持されているため、パネル部材１０はより強固にベース基板１０１に固定されており、その結果ベース基板１０１に対するパネル部材１０の振動が抑制されている。
【００４６】
図１０は、挟持部３０を拡大して示す平面図である。図１１は、挟持部３０を拡大して示す側面図である。ここで、図１０，１１を参照して第１の挟持部３０について詳細に説明するが、第２の挟持部４０、第３の挟持部５０および第４の挟持部６０もまた、第１の挟持部３０と同じ構成を有している。
【００４７】
第１の挟持部３０は、２つのＬ字状部材３１，３５が組み合わされて、全体として角張ったＣ字状の形状に形成されている。Ｌ字状部材３１は、平板状の第１部分３２と、平板状の第２部分３３とを有している。第１部分３２と第２部分３３とは、各々の縁部において一体に結合されている。１枚の平板状の部材を折り曲げることによってＬ字状部材３１が形成されてもよい。
【００４８】
Ｌ字状部材３１の第２部分３３の表面には、柔軟な弾性部材３４が取り付けられている。弾性部材３４は、たとえばゴムなどの、弾性率の比較的小さい材料により形成されている。弾性部材３４は、平板状の形状を有している。
【００４９】
Ｌ字状部材３１の第１部分３２の、第２部分３３から離れる側の縁部付近に、第１部分３２を厚み方向に貫通する貫通孔３０Ａが形成されている。貫通孔３０Ａは、複数（実施の形態では２つ）形成されている。
【００５０】
Ｌ字状部材３５は、平板状の第１部分３６と、平板状の第２部分３７とを有している。第１部分３６と第２部分３７とは、各々の縁部において一体に結合されている。１枚の平板状の部材を折り曲げることによってＬ字状部材３５が形成されてもよい。第２部分３７の表面には、柔軟な弾性部材３８が取り付けられている。弾性部材３８は、たとえばゴムなどの、弾性率の比較的小さい材料により形成されている。弾性部材３８は、平板状の形状を有している。
【００５１】
弾性部材３８は、Ｌ字状部材３５の第２部分３７の、Ｌ字状部材３１の第２部分３３と向き合う表面に、たとえば接着などにより取り付けられている。弾性部材３４は、Ｌ字状部材３１の第２部分３３の、Ｌ字状部材３５の第２部分３７と向き合う表面に、たとえば接着などにより取り付けられている。
【００５２】
Ｌ字状部材３５の第１部分３６の、第２部分３７から離れる側の縁部に、溝３９が形成されている。溝３９は、複数（実施の形態では２つ）形成されている。溝３９は、貫通孔３０Ａと同数、形成されている。図１１に示すように、貫通孔３０Ａと溝３９とは、Ｌ字状部材３１とＬ字状部材３５とを組み立てた状態で溝３９の内部に貫通孔３０Ａが配置されるように、それらの位置を設定されている。
【００５３】
貫通孔３０Ａに、ボルトなどの固定部材が挿通され、当該固定部材を第１の本体部２１に固定することによって、Ｌ字状部材３１は第１の本体部２１に固定されている。このとき、第１の本体部２１の基部２２とＬ字状部材３１の第１部分３２との間、または、固定部材の一部（たとえば固定部材がボルトである場合、ボルトの頭部など）とＬ字状部材３１の第１部分３２との間に、Ｌ字状部材３５の第１部分３６が挟み込まれる。これによりＬ字状部材３５は、第１の本体部２１に固定されている。
【００５４】
Ｌ字状部材３１とＬ字状部材３５とは、貫通孔３０Ａが溝３９の内部に配置される範囲で、図１０，１１中の左右方向に位置を調整することが可能である。スナバコンデンサ２の厚み（対向面２Ａと背面２Ｂとの間の距離）が異なる場合に、Ｌ字状部材３１に対するＬ字状部材３５の相対位置が調整される。これにより第１の挟持部３０は、厚みの異なるスナバコンデンサ２を確実に挟み持つことが可能とされている。
【００５５】
第１の挟持部３０は、スナバコンデンサ２との間に弾性部材３４，３８を介在させて、スナバコンデンサ２を挟み持っている。これにより、第１の挟持部３０がスナバコンデンサ２を挟み込んだ状態で、スナバコンデンサ２に対しての第１の挟持部３０の滑りの発生が抑制されている。弾性部材３４，３８は、第１の挟持部３０がスナバコンデンサ２を挟みつける力を受けて、その厚みを減少するように弾性変形することができる。この弾性変形により、第１の挟持部３０がスナバコンデンサ２に作用する力によってスナバコンデンサ２に強度上の問題が生じることが抑制されている。
【００５６】
以上説明したスナバコンデンサユニット１は、図１に示すように、フレーム部材２０を備えている。図３に示すように、フレーム部材２０は、本体部２１と、挟持部３０と、連結部７１とを有している。本体部２１は、スナバコンデンサ２が載せ置かれる載置部１７に固定されている。連結部７１は、本体部２１の上端に設けられており、本体部２１とパネル部材１０とを連結している。挟持部３０は、上下方向における載置部１７と連結部７１との間の位置で、スナバコンデンサ２を対向面２Ａおよび背面２Ｂの両側から挟み持っている。
【００５７】
スナバコンデンサ２が、フレーム部材２０によってパネル部材１０に対して支持されることにより、前後方向におけるスナバコンデンサ２の振動を抑制することができる。
【００５８】
また図３に示すように、フレーム部材２０は、挟持部４０と、連結部７４とを有している。本体部２１は、その下端において、スナバコンデンサ４が載せ置かれる載置部１８に固定されている。連結部７４は、スナバコンデンサ４の上面の位置で、本体部２１とパネル部材１０とを連結している。挟持部４０は、上下方向における載置部１８と連結部７４との間の位置で、スナバコンデンサ４を対向面４Ａおよび背面４Ｂの両側から挟み持っている。
【００５９】
スナバコンデンサ４が、フレーム部材２０によってパネル部材１０に対して支持されることにより、前後方向におけるスナバコンデンサ４の振動を抑制することができる。
【００６０】
また図４に示すように、フレーム部材２０は、本体部２４と、挟持部５０と、連結部７７とを有している。本体部２４は、スナバコンデンサ２が載せ置かれる載置部１７に固定されている。連結部７７は、本体部２４の上端に設けられており、本体部２４とパネル部材１０とを連結している。挟持部５０は、上下方向における載置部１７と連結部７７との間の位置で、スナバコンデンサ２を対向面２Ａおよび背面２Ｂの両側から挟み持っている。
【００６１】
スナバコンデンサ２が、側端面２Ｃの近傍と側端面２Ｄの近傍との両方において、フレーム部材２０によってパネル部材１０に対して支持されることにより、前後方向におけるスナバコンデンサ２の振動をより確実に抑制でき、また左右方向におけるスナバコンデンサ２の振動を抑制することができる。
【００６２】
また図４に示すように、フレーム部材２０は、本体部２７と、挟持部６０と、連結部８０とを有している。本体部２７は、スナバコンデンサ４が載せ置かれる載置部１８に固定されている。連結部８０は、本体部２７の上端に設けられており、本体部２７とパネル部材１０とを連結している。挟持部６０は、上下方向における載置部１８と連結部８０との間の位置で、スナバコンデンサ４を対向面４Ａおよび背面４Ｂの両側から挟み持っている。
【００６３】
スナバコンデンサ４が、側端面４Ｃの近傍と側端面４Ｄの近傍との両方において、フレーム部材２０によってパネル部材１０に対して支持されることにより、前後方向におけるスナバコンデンサ４の振動をより確実に抑制でき、また左右方向におけるスナバコンデンサ４の振動を抑制することができる。
【００６４】
また図５に示すように、本体部２４と本体部２７とは、別部材として形成されている。上下方向において、本体部２４と本体部２７との間に、隙間Ｇが形成されている。このようにすれば、スナバコンデンサ２の端子３とスナバコンデンサ４の端子５とを電気的に直列に接続する配線を、隙間Ｇを通して配索することが可能となるので、配線設計が容易になり、配線を配索する現場での作業もまた容易になる。
【００６５】
以上のように実施の形態について説明を行なったが、今回開示された実施の形態は全ての点で例示であって制限的なものではないと考えられるべきである。本発明の範囲は上記した説明ではなくて特許請求の範囲によって示され、特許請求の範囲と均等の意味および範囲内での全ての変更が含まれることが意図される。
【符号の説明】
【００６６】
１  スナバコンデンサユニット、２，４  スナバコンデンサ、２Ａ，４Ａ  対向面、２Ｂ，４Ｂ  背面、２Ｃ，２Ｄ，４Ｃ，４Ｄ  側端面、３，５  端子、１０  パネル部材、１１  本体部、１３，１５  固定部、１７，１８  載置部、２０  フレーム部材、２１  第１の本体部、２２，２５，２８  基部、２３，２６，２９  折り曲げ部、２４  第２の本体部、２７  第３の本体部、３０  第１の挟持部、３０Ａ  貫通孔、３１，３５  Ｌ字状部材、３２，３６，７２，７５，７８，８１  第１部分、３３，３７，７３，７６，７９，８２  第２部分、３４，３８  弾性部材、３９  溝、４０  第２の挟持部、５０  第３の挟持部、６０  第４の挟持部、７１  第１の連結部、７４  第２の連結部、７７  第３の連結部、８０  第４の連結部、９０  サポート部、１００  スナバユニット、１０１  ベース基板、１０２  表面、１０３  裏面、１１０  抵抗ユニット、Ｇ  隙間。
【図１】
2018098971.tif 000003
【図２】
2018098971.tif 000004
【図３】
2018098971.tif 000005
【図４】
2018098971.tif 000006
【図５】
2018098971.tif 000007
【図６】
2018098971.tif 000008
【図７】
2018098971.tif 000009
【図８】
2018098971.tif 000010
【図９】
2018098971.tif 000011
【図１０】
2018098971.tif 000012
【図１１】
2018098971.tif 000013